(57)【要約】 【課題】  コネクタに対するシール部材の組み付け作業性を改善することを目的とする。【解決手段】  ハウジングシール６０は角筒状をなす本体部６１を有し、内筒部３２の外周に対し前方から嵌め合わされる。このハウジングシール６０の前部側にはロック部６５が形成されるとともに、このロック部６５が雌ハウジング３１に形成されるロック孔４８に係止することでロック部６５は抜止めされるようになっている。ロック孔４８は内筒部３２並びに外筒部５２から、互いに向き合うように張り出す外筒突起４３及び内筒突起４５によって構成されるが、内筒突起４５はロック部６５の挿入経路外にあって、ロック部６５の底面６５ａとの間に撓み許容部６９が形成される設定とされている。そのため、組み付けの際にロック部６５が撓み易くなるから、雌ハウジング３１に対するハウジングシール６０の取り付けが円滑になる。【選択図】  図１０
2005216614.tif 000002
【特許請求の範囲】
【請求項１】
内部に端子金具を収容可能なキャビティが形成された内筒部と、前記内筒部の外周を取り囲む外筒部とを有するハウジング本体と、
筒状をなすとともにその外周面にはリップを設けた本体部を有し、前記内筒部の外周に同内筒部の軸線に沿って前方から挿入されるシール部材と、
前記ハウジング本体及び前記シール部材とに設けられ、互いに係止することで前記シール部材を抜止めする抜止め手段とを備えてなるとともに、
前記シール部材のリップと前記外筒部との間が組み付け空間とされ、そこに相手側ハウジングのフード部が挿入される防水コネクタであって、
前記抜止め手段は、
前記本体部の前部に設けられるとともに前記挿入方向と交差する方向に撓み可能とされたロック部と、
前記ロック部の挿入方向前方に配されるロック受け部とからなるとともに、このロック受け部は、
前記外筒部の内周側より前記ロック部の挿入経路上に張り出す外筒突起と、
前記外筒突起と対面し、かつ前記ロック部の挿入経路外に位置する対面部とからなり、更に、前記対面部は前記ロック部との間に、前記ロック受け部に対する前記ロック部の進入動作の過程で前記ロック部を前記外筒突部の逆方向に撓ませるような撓み許容部を保有する構成であることを特徴とする防水コネクタ。
【請求項２】
内部に端子金具を収容可能なキャビティが形成された内筒部と、前記内筒部の外周を取り囲む外筒部とを有するハウジング本体と、
筒状をなすとともにその外周面にはリップを設けた本体部を有し、前記内筒部の外周に同内筒部の軸線に沿って前方から挿入されるシール部材と、
前記ハウジング本体及び前記シール部材とに設けられ、互いに係止することで前記シール部材を抜止めする抜止め手段とを備えてなるとともに、
前記シール部材のリップと前記外筒部との間が組み付け空間とされ、そこに相手側ハウジングのフード部が挿入される防水コネクタであって、
前記抜止め手段は、
前記本体部の前部に設けられるとともに前記挿入方向と交差する方向に撓み可能とされたロック部と、
前記外筒部より前記内筒部側に突出し、前記内筒部の壁面との間に前記ロック部を前方より受け入れ可能なロック受け部を形成する外筒突起とからなるとともに、
前記ロック部は前記本体部より大径であり、かつ前記挿入動作の際には、前記外筒突起の突出端面より内筒部寄りに位置する段部と、
前記段部上に設けられるとともに前記ロック受け部に対して係止可能とされた爪部とからなるとともに、
前記段部における挿入方向後側の端面は前記シール部材を前記内筒部の軸線に沿って押し込み可能な組み付け治具に対する押し面とされた構成であることをことを特徴とする防水コネクタ。
【請求項３】
前記内筒部には前記外筒突部に向かって突出する内筒突部が形成され、前記外筒突部と前記内筒突部の間に前記ロック受け部が形成されたものにおいて、
前記内筒・外筒突部のうち前記シール部材を前記ハウジング本体に組付ける際に、前記ロック部に対面する部分には、前記ロック部を前記ロック受け部内に案内するように傾斜する案内部が設けられた構成であることを特徴とする請求項１又は請求項２に記載の防水コネクタ。
【発明の詳細な説明】
【技術分野】
【０００１】
本発明は、防水コネクタに関する。
【背景技術】
【０００２】
従来よりシール用のゴム栓を備えた防水コネクタが知られている（特許文献１）。ハウジング本体１は接続端子を収容可能な端子収容室を備えた内壁部２とその外周に配される外壁部３とを備えてなる。ゴム栓５は筒状をなすとともに内壁部に外嵌可能とされ、挿入方向（図１５の矢印方向）の前部に外方に突出する嵌合突起５ａが形成されている。一方、ハウジング本体１の外壁部３には内方（ゴム栓側）に突出する係止突起３ａが突設されている。
係止突起３ａは嵌合突起５ａの挿入方向前方に位置しており、ゴム栓５が正規組み付け位置に組まれた時には、嵌合突起５ａの後面に係止することでゴム栓５の抜止めが図られるようになっている。
【特許文献１】特許第３３３５７３３号公報（第１図、第２図）
【発明の開示】
【発明が解決しようとする課題】
【０００３】
上記構造によれば、外壁部３に設けられた係止突起３ａはゴム栓５の嵌合突起５ａの挿入方向前方に位置している。そのため、ゴム栓５の挿入動作の途中で、図１５に示すように係止突起３ａと嵌合突起５ａが干渉してしまう。
また、外壁部３が内壁部２を覆っているから手作業でのゴム栓５の装着は作業性が著しく悪く、仮に、図１５に示すように、挿入治具７を使用した場合であっても、挿入治具７の押し込み経路上に干渉物（係止突起３ａ）があるから作業性の向上が望めない。
本発明は上記のような事情に基づいて完成されたものであって、コネクタに対するシール部材の組み付け作業性を改善することを目的とする。
【課題を解決するための手段】
【０００４】
上記の目的を達成するための手段として、請求項１の発明は、内部に端子金具を収容可能なキャビティが形成された内筒部と、前記内筒部の外周を取り囲む外筒部とを有するハウジング本体と、筒状をなすとともにその外周面にはリップを設けた本体部を有し、前記内筒部の外周に同内筒部の軸線に沿って前方から挿入されるシール部材と、前記ハウジング本体及び前記シール部材とに設けられ、互いに係止することで前記シール部材を抜止めする抜止め手段とを備えてなるとともに、前記シール部材のリップと前記外筒部との間が組み付け空間とされ、そこに相手側ハウジングのフード部が挿入される防水コネクタであって、前記抜止め手段は、前記本体部の前部に設けられるとともに前記挿入方向と交差する方向に撓み可能とされたロック部と、前記ロック部の挿入方向前方に配されるロック受け部とからなるとともに、このロック受け部は、前記外筒部の内周側より前記ロック部の挿入経路上に張り出す外筒突起と、前記外筒突起と対面し、かつ前記ロック部の挿入経路外に位置する対面部とからなり、更に、前記対面部は前記ロック部との間に、前記ロック受け部に対する前記ロック部の進入動作の過程で前記ロック部を前記外筒突部の逆方向に撓ませるような撓み許容部を保有する構成であるところに特徴を有する。
【０００５】
請求項２の発明は、内部に端子金具を収容可能なキャビティが形成された内筒部と、前記内筒部の外周を取り囲む外筒部とを有するハウジング本体と、筒状をなすとともにその外周面にはリップを設けた本体部を有し、前記内筒部の外周に同内筒部の軸線に沿って前方から挿入されるシール部材と、前記ハウジング本体及び前記シール部材とに設けられ、互いに係止することで前記シール部材を抜止めする抜止め手段とを備えてなるとともに、前記シール部材のリップと前記外筒部との間が組み付け空間とされ、そこに相手側ハウジングのフード部が挿入される防水コネクタであって、前記抜止め手段は、前記本体部の前部に設けられるとともに前記挿入方向と交差する方向に撓み可能とされたロック部と、前記外筒部より前記内筒部側に突出し、前記内筒部の壁面との間に前記ロック部を前方より受け入れ可能なロック受け部を形成する外筒突起とからなるとともに、前記ロック部は前記本体部より大径であり、かつ前記挿入動作の際には、前記外筒突起の突出端面より内筒部寄りに位置する段部と、前記段部上に設けられるとともに前記ロック受け部に対して係止可能とされた爪部とからなるとともに、前記段部における挿入方向後側の端面は前記シール部材を前記内筒部の軸線に沿って押し込み可能な組み付け治具に対する押し面とされた構成であるところに特徴を有する。
【０００６】
請求項３の発明は、請求項１または請求項２に記載のものにおいて、前記内筒部には前記外筒突部に向かって突出する内筒突部が形成され、前記外筒突部と前記内筒突部の間に前記ロック受け部が形成されたものにおいて、前記内筒・外筒突部のうち前記シール部材を前記ハウジング本体に組付ける際に、前記ロック部に対面する部分には、前記ロック部を前記ロック受け部内に案内するように傾斜する案内部が設けられた構成であるところに特徴を有する。
【発明の効果】
【０００７】
＜請求項１の発明＞
請求項１の発明によれば、内筒部に対するシール部材の組み付け動作の途中で、ロック部が外筒突部に干渉したとしても、対面部とロック部との間には撓み許容部が設けられているから、ロック部は干渉回避方向に撓んで干渉状態が回避される。従って、コネクタに対するシール部材の押し込み作業を円滑に行うことが出来る。
【０００８】
＜請求項２の発明＞
請求項２の発明によれば、押し面が設けられているから治具での組み付けが可能となる。更に、挿入動作の際には、押し面は外筒突起の突出端面より内筒部寄りに位置するから、組み付け治具の押し込み方向前方に干渉物（外筒突起）がなく、比較的弱い力でのシール部材の取り付け作業を行うことが出来る。
＜請求項３の発明＞
請求項３の記載によれば、ロック部は案内部によってロック受け部内に案内されるからシール部材の組み付け動作が更に円滑となる。
【発明を実施するための最良の形態】
【０００９】
本発明の一実施形態を図１ないし図１６によって説明する。
本実施形態の防水コネクタは、図１に示すように、互いに嵌合可能な雄コネクタ１０と雌コネクタ３０とを備え、このうち雌コネクタ３０側に両コネクタ１０、３０の嵌合部分をシールするためのハウジングシール（本発明のシール部材に相当する）６０が装着されている。なお、以下では両コネクタ１０、３０における嵌合面側を前方として説明する。
【００１０】
雄コネクタ１０を構成する雄ハウジング１１は合成樹脂製であって、その前部側にはフード部１３が形成されている。フード部１３は前方に開口するとともに、奥壁１３ａからはタワー部１４がフード部１３内に突出されている。このタワー部１４は内部に雄端子金具（図示せず）を収容可能とし、更にタワー部１４の底壁には、雄端子金具を抜止め状態に保持するするためのランス１５が形成されている。
【００１１】
ランス１５は上下方向に弾性変位可能とされるとともに、その下方には当該ランス１５に対するランス撓み空間１８が設けられている。一方、フード部１３内には、前方からリテーナ１９が挿入されるようになっている。リテーナ１９は前記ランス撓み空間１８内に進入可能とされた規制片１９ａを備えており、フード部１３内に装着された時には、ランス撓み空間１８内に進入してランス１５のロック解除方向への撓み動作を規制するようになっている。
【００１２】
雄ハウジング１１の上面の前部側には、一対の起立壁１６が形成されるとともに、その起立壁１６の上縁同士を架設板１７が連結している。この架設板１７の前端部には下向きの突片１７ａが設けられており、詳細には後述するが雌コネクタ３０の備えるロックアーム５５に対して係止するようになっている。
【００１３】
雌コネクタ３０を構成する雌ハウジング（本発明のハウジング本体に相当する）３１は図２に示すように、上述のフード部１３の前部側に嵌合される横長形状の内筒部３２と、その外周側を取り囲む外筒部５２とを備えてなる。内筒部３２の内側には雌端子金具（図示せず）を後方から挿入可能なキャビティ３３が幅方向に一対併設されている。各キャビティ３３の底壁の前部には片持ち状のランス３６が突設されるとともに、これら各ランス３６の下方にはそれぞれ前方に開口するランス撓み空間３７が形成されている。ランス３６はキャビティ３３内に雌端子金具が挿入される途中では雌端子金具の底壁により押圧されることでランス撓み空間３７内に退避するが、雌端子金具が正規深さに至ると弾性復帰する。これにより雌端子金具に係止して、雌端子金具の抜け止めを行うように機能する。
【００１４】
内筒部３２の前壁３４には、相手側となる雄端子金具のタブがキャビティ３３内に前方から進入するのを許容するタブ挿通孔３４ａが穿設されている。このタブ挿通孔３４ａの前側の孔縁には、全周にわたって略擂鉢状をなす誘導面３４ｂが形成され、タブの進入動作が円滑に誘導されるようになっている。
【００１５】
次に、外筒部５２は略筒状に形成されており、内筒部３２に対してその長さ方向における中央よりやや後寄りの位置で縦壁４１を介して連結されている。この外筒部５２の上部における幅方向の中央部分には、片持ち状のロックアーム５５が形成されている。ロックアーム５５は図４に示すように、支持部５６より前方に延出される一対のアーム片５７の前端同士をジョイント部５８によって架設してなり、支持部５６を中心として上下方向に弾性変位可能とされている。
【００１６】
両アーム片５７間に設けられた空洞部分は係止孔５５ａとされている。係止孔５５ａは雄ハウジング１１の突片１７ａを収容可能な幅寸法とされている。そのため、両コネクタ１０、３０を嵌合させると、ロックアーム５５のジョイント部５８は突片１７ａを通過することに伴って図示下方へ撓み変位するとともに、通過後に復帰する。これにより、突片１７ａが係止孔５５ａ内に進入して係止することで両コネクタ１０、３０が抜止め状態に保持される。
また、ロックアーム５５の長さ方向の中央部分には、アーム片５７を架設する操作部が設けられており、そこへの押圧操作によって、ロックの解除を行うことが出来るようになっている。
【００１７】
また、雌ハウジング３１の上面には、支持部５６の左右両側からロックアーム５５に沿って平行に伸びる一対の起立壁５９ａが形成されるとともに、その前部側にはジョイント部５８をアーチ状をなして取り囲む保護壁５９ｂが設けられている。このようにジョイント部５８を覆う構成とすることで、雌コネクタ３０単体時におけるロックアーム５５の保護が図られる。
【００１８】
ハウジングシール６０はゴム製であって、角筒状をなす本体部６１を有し、内筒部３２の外周に対し同内筒部３２の軸線に沿って前方から組み付け治具８１によって嵌め合わされる。
組み付け治具８１は、例えば、図８に示すようにハウジングシール６０の本体部６１を収容可能な大きさの角筒状をなすとともに、その前端面８１ａには、前方に突出する押し込み片８２が一対形成されている。この押し込み片８２の前端面は、後記する段部６６の押し面６６ａに対して面当たりするような寸法設定とされている。本体部６１はその内外周両面に３条のリップ６２を備えており、このハウジングシール６０のリップ６２と外筒部５２との間は雄コネクタ１０のフード部１３が挿入される組み付け空間とされている。
【００１９】
ハウジングシール６０と雌ハウジング３１とには、互いに係止することでハウジングシール６０を雌ハウジング３１に対して抜止めする抜止め手段が設けられている。
まず、ハウジングシール６０の抜止め手段について説明すると、図６ないし図８に示すようにハウジングシール６０の本体部６１の短辺側であって、その前端部には、前方（図８における右側）へ延出するロック部６５がそれぞれ形成されている。このロック部６５は本体部６１より大径（外方に張り出す）に形成された段部６６と、段部６６上において外向き、すなわち外筒部５２側に張り出す爪部６７とから構成されている。段部６６の後端面は垂直面となっており、そこは、前記した押し込み片８２に対する押し面６６ａとされている。このロック部６５は段部６６と本体部６１との接続部分を支点として挿入方向と交差する方向に撓み変形可能とされている。このハウジングシール６０の全高（図９に示すＦ１寸法）は、内筒部３２と外筒部５２との間の隙間（図９に示すＦ２寸法）より幾らか狭くなっており、挿入動作の初期段階から次に述べる外筒突起４３に干渉するまでの間、ハウジングシール６０はほぼ自然状態のまま挿入されるようになっている。
【００２０】
一方、雌ハウジング３１においては、各ロック部６５の挿入方向前方にロック孔（本発明のロック受け部に相当する）４８が形成されている。より具体的に説明すると、内筒部３２の外周側及び外筒部５２の内周側であって後端寄りの位置には、互いに向き合うように張り出す外筒突起４３及び内筒突起（本発明の対面部に相当する）４５が形成されている。この両突起４３、４５の孔壁間の幅は自然状態におけるロック部６５の全高（図９におけるＡ寸法）より狭くなっており、前記ロック孔４８が形成されている。
【００２１】
ここで、図９を参照して、ロック部６５と両突起４３、４５の関係（高さ方向、すなわち図９における上下方向に関する位置関係）について説明する。
内筒突起４５はロック部６５の挿入経路から内筒部３２側に退避した位置にあって、内筒部３２からの張り出し高さは、爪部６７が外筒突起４３に当接した状態において、ロック部６５の底面６５ａとの間に撓み許容部６９が形成され（図１０参照）るような張り出し高さとされている。
【００２２】
一方、外筒突起４３はロック部６５の挿入経路内、すなわち挿入動作の際に爪部６７と干渉するような高さをもって形成され、更に、爪部６７の後面６７ａ並びに外筒突起４３の後面４３ｃは、共に起立するロック面となっている。そのため、図１１に示すように、ハウジングシール６０がロック孔４８に向かって押し込まれると、ロック部６５は撓み許容部６９の高さ分だけ外筒突起４３と逆方向に弾性変位するとともにロック孔４８内へと進入する。そして、ロック孔４８内においてやや変形しつつこれを通過した後には、復帰して前記両ロック面４３ｃ、６７ａ同士が係止するようになっている。
また、外筒突起４３並びに内筒突起４５の前後両端面のうち挿入動作の際にロック部６５と対抗する側の端面には、ハウジングシール６０の挿入方向に対して傾斜する案内面（本発明の案内部に相当する）４３ｂ、４５ｂが設けられ、更に、爪部６７の前面にも前方に向かって先細りする傾斜面６７ｂが形成されているが、これらは、ロック部６５の撓み動作を案内するためのものである。
【００２３】
加えて、雌ハウジング３１に対するハウジングシール６０の挿入動作が円滑になされるように、組み付けの際に段部６６が外筒突起４３に干渉しない設定、すなわち挿入動作の際に、外筒突起４３の突出端面４３ａより内筒部３２寄りに位置するようになっている（図９に示すＢ寸法の範囲外に設定）。このような構成とすることで、組み付け治具８１の押し込み経路上に干渉物がなくなるから、比較的弱い力でハウジングシール６０の押し込みを行うことが可能となる。
【００２４】
また、外筒突起４３のロック面４３ｃの後方には、延長壁４７が形成されている。この延長壁４７は後方に開口するとともに、ロック状態において開口端面４７ａが爪部６７の先端とほぼ一致するようになっており、爪部６７の側方のほぼ全体を覆うようになっている。尚、本来延長壁４７を設けなくとも、雌ハウジング３１に対するハウジングシール６０のロック性に支障を来すことはないが、本実施形態においては、延長壁４７の開口端面４７ａが次述する検査装置７０に対する位置決めとして使用されている。
【００２５】
検査装置７０は図１３に示すように、基台７１上に雌コネクタ３０を保持するためのコネクタ保持部材７２と、検査器本体７５と、この検査器本体７５をコネクタ保持部材７２に対して接離方向に進退させるための移動機構とを備えて構成されている。コネクタ保持部材７２は図１４に示すように、雌ハウジング３１の外形に倣った形状のコネクタ収容凹部７３を設けている。このコネクタ収容凹部７３は上方に開口するとともに後面７３ａが基準面とされている。コネクタ収容凹部７３には後面７３ａに開口端面４７ａを突き当た状態で雌コネクタ３０がセットされるようになっており、セット状態において雌コネクタ３０は検査器本体７５と向き合った姿勢となる。
【００２６】
一方、検査器本体７５は、導電体７６の先端面の一部から検知片７７が一体的に突出して形成された構造であり、ばね７８により前方へ付勢されている。そして、雌コネクタ３０をコネクタ保持部材７２にセットしたのち検査器本体７５を前進させると、端子金具９０が半挿入の状態では、ランス３６がランス撓み空間３７内に撓み変形しているため、検知片７７がランス３６に突き当たることで導電体７６の前進が規制される。これにより、導電体７６と端子金具９０とが接触せず、端子金具９０の挿入が不完全であることが検知される。
一方、端子金具９０が正規に挿入されていると、ランス３６がランス撓み空間３７から退避しているため、検知片７７がランス撓み空間３７の奥深くに進入する。そのため、導電体７６の先端面が端子金具の前端面に接触する。これにより、導通が取られることで、端子金具９０がキャビティ３３内に正規に挿入されていることが検知される（図１６参照）。
【００２７】
次に、本実施形態の作用を説明する。
ハウジングシール６０を雌ハウジング３１に対して組み付けるには、まず、ロック部６５がロック孔４８と対面するように位置合わせするとともに、ハウジングシール６０を雌ハウジング３１の内筒部３２の外周の先端部分に嵌め合わせた状態にセットする。セットが完了したら今度は、組み付け治具８１を押し込み片８２がハウジングシール６０の段部６６と対面するように位置合わせする。位置合わせが完了したらその状態から、組付け治具８１を雌ハウジング３１の軸線に沿って奥側に押し込んでゆく。押し込み動作の過程で、押し込み片８２が段部６６の押し面６６ａに面当たりし、それ以降、ハウジングシール６０は内筒部３２の軸線に沿ってほぼ自然状態のまま奥方に差し込まれてゆく。
【００２８】
やがて、ハウジングシール６０のロック部６５が外筒突起４３の案内面４３ｂに対して当接する。この状態においては、図１０に示すように、ロック部６５の底面６５ａと内筒突起４５との間には隙間、すなわち撓み許容部６９が保有された状態にある。そのため、更に、ハウジングシール６０を奥側に押し込むと、図１１に示すようにハウジングシール６０のロック部６５は案内面４３ｂによる案内作用を受けつつ、撓み許容部６９の高さ分だけ外筒突起４３と逆方向に弾性変位してロック孔４８内へと進入する。その後、ロック部６５は両突起４３、４５の壁面により押圧されることでやや変形しながらロック孔４８を通過し、その後復帰する。
【００２９】
これにより、両ロック面４３ｃ、６７ａ同士が係止してハウジングシール６０は雌ハウジング３１に対して抜止め状態に保持されることとなる（図１２参照）。そのため、ハウジングシール６０の挿入作業が完了した後、組め付け治具８１を内筒部３２から強制的に引き抜いても、ハウジングシール６０が位置ずれすることがない。尚、この状態においては、図示しないストッパ（例えば、組み付け治具８１と雌ハウジング３１との間に設定）によって、それ以上の押し込み動作が規制されるようになっている。
【００３０】
次に、雄・雌両コネクタ１０、３０を嵌合させるには、雌コネクタ３０を雄コネクタ１０のフード部１３に対して正対させる。この状態から雌ハウジング３１の内筒部３２をフード部１３の内側に宛って押し込んでゆくと内筒部３２はフード部１２内に差し込まれてゆき、やがて、ロックアーム５５の先端が突片１７ａに当接する。
この状態から更に、雌コネクタ３０を嵌合方向に押し込むと、ロックアーム５５のジョイント部５８は突片１７ａを通過することに伴って図示下方へ撓み変位するとともに、通過後に復帰する。これにより、突片１７ａが係止孔５５ａ内に進入して係止することで両コネクタ１０、３０が抜止め状態に保持される。
このロック状態においては、図１に示すように、リップ６２は雄ハウジング１１のフード部１３の内周面と内筒部３２の外周面との間に狭圧された状態で両対向面に密着することで、両コネクタ１０、３０間がシールされるようになっている。
【００３１】
本実施形態によれば、組み付けの際に段部６６が外筒突起４３に干渉しない設定、すなわち挿入動作の際に、外筒突起４３の突出端面４３ａより内筒部３２寄りに位置するようになっている（図９に示すＢ寸法の範囲外に設定）。このような構成とすることで、組み付け治具８１の押し込み経路上に干渉物がなくなるから、比較的弱い力でハウジングシール６０の押し込みを行うことが可能となる。  加えて、組み付け作業の過程で爪部６７と外筒突起４３が当たり合ったときに、内筒突起４５とロック部６５との間に、図１０に示すような撓み許容部６９が保有されており、ロック部６５が干渉回避方向に撓んで干渉量が減ずるようになっている。以上のことから雌ハウジング３１に対するハウジングシール６０の挿入動作が円滑になされる。
【００３２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３３】
（１）本実施形態によれば、外筒突起４３と内筒突起４５とからロック孔４８を形成したが、内筒突起４５側についてはロック部６５との間に隙間を設けた構成であればよく廃止が可能であり、この場合には内筒部の外周と外筒突起とによってロック孔４８を構成してやればよい。
【００３４】
（２）本実施形態によれば、両ロック面４３ｃ、６７ａを対面させることで雌ハウジング３１に対してハウジングシール６０を係止したが、係止は抜け止め可能なものであればよく、例えば、ロック孔４８内にロック部を圧入させるようなものも「本発明の係止」に含まれる。
【図面の簡単な説明】
【００３５】
【図１】両コネクタの嵌合状態を表す断面図
【図２】雌ハウジングの断面図
【図３】雌ハウジングの正面図
【図４】雌ハウジングの平面図
【図５】雌ハウジングの側面図
【図６】ハウジングシールの正面図
【図７】ハウジングシールの側面図
【図８】組み付け治具とハウジングシールの平面図
【図９】ハウジングシールを雌ハウジングに装着する前の状態を表す断面図
【図１０】撓み許容部が形成された状態を表す断面図
【図１１】ハウジングシールの挿入動作を表す断面図
【図１２】ハウジングシールが雌ハウジングに装着された状態を表す断面図
【図１３】検査装置の斜視図
【図１４】雌コネクタがコネクタ保持部材にセットされた状態を表す断面図
【図１５】検査器本体の進退動作を表す断面図
【図１６】検知片がランス撓み空間に挿入され、導通が得られた状態を表す断面図
【図１７】従来例の断面図
【符号の説明】
【００３６】
３１…雌ハウジング（ハウジング本体）
３２…内筒部
４３…外筒突起
４５…内筒突起（対面部）
４８…ロック孔（ロック受け部）
５２…外筒部
６０…ハウジングシール（シール部材）
６５…ロック部
６９…撓み許容部
【図１】
2005216614.tif 000003
【図２】
2005216614.tif 000004
【図３】
2005216614.tif 000005
【図４】
2005216614.tif 000006
【図５】
2005216614.tif 000007
【図６】
2005216614.tif 000008
【図７】
2005216614.tif 000009
【図８】
2005216614.tif 000010
【図９】
2005216614.tif 000011
【図１０】
2005216614.tif 000012
【図１１】
2005216614.tif 000013
【図１２】
2005216614.tif 000014
【図１３】
2005216614.tif 000015
【図１４】
2005216614.tif 000016
【図１５】
2005216614.tif 000017
【図１６】
2005216614.tif 000018
【図１７】
2005216614.tif 000019